(57)【特許請求の範囲】
【請求項１】
建屋の窓開口部に取り付ける足場において、背面側と両側面側にガードを設けた作業用ステップと、床面に設置し窓開口部周辺の内壁に接当させる支持具を備えた内部枠体と、該内部枠体の床面に設置する２本の支柱にそれぞれ係合させるもので一端側に該支柱との係合部を有し他端側に該作業用ステップのステップ受け及び外壁に接当させる支持具を備えたＬ字枠のステップ支持体とによって構成したものであって、該作業用ステップは、各ステップ支持体の該Ｌ字枠をレールとして摺動可能に抱持する抱持ガイドを設け、窓開口部内側から外側に向かって該ガイドをＬ字枠に沿って滑らせて該ステップ受けにセットすることを特徴とする窓用足場。
【発明の詳細な説明】
【技術分野】
【０００１】
本発明は、高所作業を目的として組み立てる足場において、窓開口部を利用し室内側の内壁で支持して外壁側に作業用ステップを設置する窓用足場の改良に関する。
【背景技術】
【０００２】
既設の建屋で外壁廻り開口部の部分的な補修や追加工事を行なう場合は、専ら梯子が用いられている。しかし、梯子は非常に危険を伴うことや作業性が著しく低い問題がある。
【０００３】
このようなことから、例えば特許文献１に開示されている工事用仮設足場がある。この工事用仮設足場は、窓の開口部を利用し、足場を室内側から掛止して外壁側に保持する構造であり、作業性がよくかなりの高所でも安全性を確保できる利点がある。このような仮設足場は、窓開口部の両側部に支持体（特許文献１ではビーム１１）を設置し、該支持体に足場板を架け渡す構造である。
【先行技術文献】
【特許文献】
【０００４】
【特許文献１】実開平５−０６１３４６
【発明の概要】
【発明が解決しようとする課題】
【０００５】
しかし、特許文献１のような仮設足場は、次のように種々の問題がある。
１  足場板を載せる支持体は、窓開口部周辺の壁面に引っ掛けて掛止しているだけであるため、鉛直方向の荷重には強いが水平方向にかかる力には弱く、外れやすくなる危険性がある。
２  足場板は単に支持体に架け渡して設けるだけであり、足場として極めて不安定となる。
３  足場の背面側に手摺などのガードを設けにくく、危険である。ガードは窓開口部の両側部に設けた両支持体と一体にする必要があり、組み立てにくく運搬、設置、保管スペースに問題がある。
【課題を解決するための手段】
【０００６】
そこで本発明者は上記課題に鑑み鋭意研究した結果、本発明を成し得たものであり、その特徴とするところは、建屋の窓開口部に取り付ける足場において、背面側と両側面側にガードを設けた作業用ステップと、床面に設置し窓開口部周辺の内壁に接当させる支持具を備えた内部枠体と、該内部枠体の床面に設置する２本の支柱にそれぞれ係合させるもので一端側に該支柱との係合部を有し他端側に該作業用ステップのステップ受け及び外壁に接当させる支持具を備えたＬ字枠のステップ支持体とによって構成したものであって、該作業用ステップは、各ステップ支持体の該Ｌ字枠をレールとして摺動可能に抱持する抱持ガイドを設け、窓開口部内側から外側に向かって該ガイドをＬ字枠に沿って滑らせて該ステップ受けにセットすることにある。
【０００７】
本明細書中でいう「作業用ステップ」とは、窓開口部の外側に設置して作業者が屋外作業するための足場をいう。この作業用ステップには、背面側と両側面側に手摺などのガードを設けている。
【０００８】
「内部枠体」とは、作業用ステップを窓開口部の内側から支持するための部材であり、窓開口部周辺の内壁に接当させる支持具を備えた枠体をいう。
【０００９】
「ステップ支持体」とは、作業用ステップを支持するもので、内部枠体を構成する床面に設置した２本の支柱に係合させることによって、窓開口部の外側に支持固定するＬ字型の部材をいう。このステップ支持体には、一端側に支柱に連結固定する係合部と、他端側に作業用ステップのステップ受け及び外壁に接当させる支持具を備えている。
【００１０】
本発明に係る窓用足場の最大の特徴は、ステップ支持体のＬ字枠を抱持するガイドを作業用ステップに設けたことにある。このガイドによって作業用ステップは、ステップ支持体のＬ字枠をレールとして滑らせながらステップのステップ受けにセットされる。ガイドを設ける位置は特に限定するものではないが、ステップ板より上方に設けるのが、セットのしやすさの点で好ましい。
【発明の効果】
【００１１】
本発明に係る窓用足場は、背面側と両側面側にガードを設けた作業用ステップを、Ｌ字型のステップ支持体に抱持させながらセットする構造としたことから、次のような極めて有益な効果を有する。
１  作業用ステップのガードが室内で組み立てられ、危険性がなく組み立てやすい。
２  作業用ステップのセットが容易に行えるためガードを強固にすることができる。
３  作業用ステップにガードを設けて嵩が大きくなっても、予め固定したステップ支持体に抱持させながらセットするため、落下の危険性がなく、しかもセット作業を室内側から行え安全である。
４  予め固定した２つのステップ支持体が、作業用ステップに設けたガイドで支持されることになり、ステップ支持体の横方向の保持が確実になる。
５  内部枠体に係合したステップ支持体の下端側に、ステップ受け及び支持体を設けているため、ステップ受けに掛かる荷重のほとんどを支持体の軸方向にかけることができ、荷重が掛かっても滑りが生じにくい。
６  内部枠体に係合したステップ支持体の下端側で作業用ステップを支持するため、ほとんどの場合窓開口部の下框よりステップ板が下方に位置し、ステップ板への乗り降りがしやすい。また、ステップ板を低く設けることができるので、窓開口部周辺での作業が行いやすくなる。
【図面の簡単な説明】
【００１２】
【図１】本発明に係る窓用足場の一実施例を示す側面図である。（実施例１）
【図２】外壁側に支持固定したステップ支持体に作業用ステップをセットする状態を示す側面図である。
【図３】窓用足場を外壁側から見た背面図である。
【図４】窓用足場を内壁側から見た正面図である。
【図５】（ａ）は作業用ステップを折り畳んだ状態の正面図、（ｂ）は作業用ステップのガードを組み立てる状態を示す正面図である。
【図６】支持固定したステップ支持体に作業用ステップの抱持ガイドを嵌め込んだ状態を示す正面図である。
【発明を実施するための形態】
【００１３】
本発明に係る窓用足場は、背面側と両側面側にガードを設けた作業用ステップを、内部枠体に支持したＬ字型のステップ支持体に抱持させながらセットする構造としたことにより、上記課題を解決した。
【実施例１】
【００１４】
図１は、本発明に係る窓用足場１の一実施例を示すもので、床面に設置し窓開口部２周辺の内壁３に接当させる支持具４を備えた内部枠体５と、該内部枠体５の床面５１に設置した２本の支柱５２に係合させたＬ字型のステップ支持体６と、該ステップ支持体６にセットした作業用ステップ７とによって構成している。
【００１５】
内部枠体５の支柱５２の係合させたステップ支持体６には、作業用ステップ７を支持するためのステップ受け６１及び支持具４を設けており、該支持具４を外壁８に接当させることによって固定する。そして、作業用ステップ７には、ステップ支持体６のＬ字枠をレールとして摺動可能に抱持する抱持ガイド７１を二対設けている。
【００１６】
抱持ガイド７１を設けた作業用ステップ７は、図２に示すように各抱持ガイド７１を窓開口部２から外側に支持固定した２つのステップ支持体６に室内側から嵌め込み、ステップ支持体６のＬ字枠に沿って滑らせるようにして作業用ステップ７をステップ受け６１にセットする。尚、作業用ステップ７の足場としてのステップ７３は、折り畳み可能とした補助ステップ７４を設けている。また、作業用ステップ７の下端部にはステップ支持体６のＬ字枠に被せるガイド７２を設けている。
【００１７】
本発明に係る窓用足場１は、図３に示すように作業用ステップ７が窓開口部２の下框よりかなり下方に支持されるため、作業者は屈むことなく作業することが可能となり、高い位置で作業したい場合は、ステップ７３に別途台などを置いて対処することができる。本例の内部枠体５は、図４のように支柱５２に横桟５３を設け、該横桟５３に支持体４を設けて内壁３に支持させている。
【００１８】
作業用ステップ７は、図５（ａ）に示すように各側面ガード７７を折り畳み可能に設けている。そして、同図（ｂ）のように各側面ガード７７を広げ背面側に中間ガード７５及び上部ガード７６を架け渡して保持している。各ガードを組み立てた作業用ステップ７は、図６のように前面側を下にして抱持ガイド７１をステップ支持体６のＬ字枠に嵌め込み、Ｌ字枠に沿って滑らせながらステップ受け６１にセットする。
【符号の説明】
【００１９】
１  窓用足場
２  窓開口部
３  内壁
４  支持具
５  内部枠体
５１  床面
５２  支柱
５３  横桟
６  ステップ支持体
６１  ステップ受け
７  作業用ステップ
７１  抱持ガイド
７２  ガイド
７３  ステップ
７４  補助ステップ
７５  中間ガード
７６  上部ガード
７７  側面ガード
８  外壁
【図１】
0005844654.tif 000002
【図２】
0005844654.tif 000003
【図３】
0005844654.tif 000004
【図４】
0005844654.tif 000005
【図５】
0005844654.tif 000006
【図６】
0005844654.tif 000007